(57)【特許請求の範囲】
【請求項１】
建物の開口部に取付けられている既設サッシのサッシ枠に取付けられる半外付納まりの新設のサッシ枠を有する改装サッシであって、前記既設のサッシ枠は下枠に外レール支持部と、該外レール支持部よりも高さの高い内レール支持部とを有しており、前記新設のサッシ枠は室内外方向略中間の外周に取付フィンを有しており、新設のサッシ枠を取付けるために既設のサッシ枠の室外側内周に取付部材を取付け、該取付部材は、上枠の下面に上部外レールを跨ぐ状態で左右方向に取付けられる上部取付部材と、下枠の上面の外レール支持部上に下部外レールを跨ぐ状態で左右方向に取付けられる下部取付部材と、左右の縦枠の内側面に上下方向に取付けられる側部取付部材とからなり、これら取付部材の室外面が前記取付フィンを取付けるための取付面とされ、これら取付部材の対向面が新設のサッシの室内側部分を支持するための支持面とされることを特徴とする改装サッシ。
【請求項２】
建物の開口部に取付けられている既設サッシのサッシ枠に取付けられる半外付納まりの新設のサッシ枠を有する改装サッシであって、前記既設のサッシ枠は下枠に外レール支持部と、該外レール支持部よりも高さの高い内レール支持部とを有しており、前記新設のサッシ枠は室内外方向略中間の外周に取付フィンを有しており、新設のサッシ枠を取付けるために既設のサッシ枠の室外側内周に取付部材を取付け、該取付部材は、上枠の下面に上部外レールを跨ぐ状態で左右方向に取付けられる上部取付部材と、下枠の上面の外レール支持部上に下部外レールを跨ぐ状態で左右方向に取付けられる下部取付部材と、左右の縦枠の内側面に上下方向に取付けられる側部取付部材とからなり、これら取付部材の室外面が前記取付フィンを取付けるための取付面とされ、これら取付部材の対向面が新設のサッシの室内側部分を支持する支持面とされ、該支持面には低熱伝導材製のスペーサが配置されることを特徴とする改装サッシ。
【発明の詳細な説明】
【０００１】
【発明の属する技術分野】
本発明は、改装サッシに係り、特に既設サッシのサッシ枠を撤去することなく新設サッシのサッシ枠を取付可能とした改装サッシに関する。
【０００２】
【従来の技術】
建物の開口部に取付けられている既設のサッシを新しいものに改装する場合、従来では、既設サッシを撤去してから新設サッシを取付ける工法が採られている。しかしながら、この工法では、既設サッシの撤去に手間がかかるだけでなく、その周縁の外装や内装も解体しなければならないため、工期や施工コストが多くかかるという問題があった。
【０００３】
このような問題を解決するために、既設サッシのサッシ枠を撤去することなく新設サッシのサッシ枠を取付可能としたリフォーム用サッシ枠が提案されている（特開２００１−８２０３１号公報参照）。
【０００４】
【発明が解決しようとする課題】
しかしながら、前記リフォーム用サッシ枠においては、既設のサッシ枠が下枠に外レール支持部と、該外レール支持部よりも高さの高い内レール支持部とを有しており、この内レール支持部上に新設のサッシ枠の室内側部分を取付けるようになっているため、新設のサッシ枠の開口が狭められ、採光性が悪くなるという問題がある。
【０００５】
本発明は、前記事情を考慮してなされたもので、新設のサッシ枠の開口を広く確保することができ、採光性を良くすることができる改装サッシを提供することを目的とする。
【０００６】
【課題を解決するための手段】
本発明のうちの第１の発明は、建物の開口部に取付けられている既設サッシのサッシ枠に取付けられる半外付納まりの新設のサッシ枠を有する改装サッシであって、前記既設のサッシ枠は下枠に外レール支持部と、該外レール支持部よりも高さの高い内レール支持部とを有しており、前記新設のサッシ枠は室内外方向略中間の外周に取付フィンを有しており、新設のサッシ枠を取付けるために既設のサッシ枠の室外側内周に取付部材を取付け、該取付部材は、上枠の下面に上部外レールを跨ぐ状態で左右方向に取付けられる上部取付部材と、下枠の上面の外レール支持部上に下部外レールを跨ぐ状態で左右方向に取付けられる下部取付部材と、左右の縦枠の内側面に上下方向に取付けられる側部取付部材とからなり、これら取付部材の室外面が前記取付フィンを取付けるための取付面とされ、これら取付部材の対向面が新設のサッシの室内側部分を支持するための支持面とされることを特徴とする。
第２の発明は、建物の開口部に取付けられている既設サッシのサッシ枠に取付けられる半外付納まりの新設のサッシ枠を有する改装サッシであって、前記既設のサッシ枠は下枠に外レール支持部と、該外レール支持部よりも高さの高い内レール支持部とを有しており、前記新設のサッシ枠は室内外方向略中間の外周に取付フィンを有しており、新設のサッシ枠を取付けるために既設のサッシ枠の室外側内周に取付部材を取付け、該取付部材は、上枠の下面に上部外レールを跨ぐ状態で左右方向に取付けられる上部取付部材と、下枠の上面の外レール支持部上に下部外レールを跨ぐ状態で左右方向に取付けられる下部取付部材と、左右の縦枠の内側面に上下方向に取付けられる側部取付部材とからなり、これら取付部材の室外面が前記取付フィンを取付けるための取付面とされ、これら取付部材の対向面が新設のサッシの室内側部分を支持する支持面とされ、該支持面には低熱伝導材製のスペーサが配置されることを特徴とする。
【０００７】
【発明の実施の形態】
以下に、本発明の実施の形態を添付図面に基いて詳述する。図１は本発明の第１の実施の形態を示す改装サッシの縦断面図、図２は図１の改装サッシの横断面図、図３は図１の改装サッシの分解断面図である。
【０００８】
本実施の形態では、本発明を窓サッシに適用した一例が示されている。図１〜図３に示すように、建物の躯体１に形成された開口部２には内付納まりの既設サッシ３のサッシ枠４が設けられている。この既設のサッシ枠４は、例えばアルミ押出形材からなる上枠４ａ、下枠４ｂおよび左右の縦枠４ｃ，４ｃを方形枠状に組んで構成されている。これら上枠４ａ、下枠４ｂおよび左右の縦枠４ｃ，４ｃは、それぞれ躯体１における開口部２の内周に固着具例えばネジ５ａ〜５ｃで固定されている。特に、下枠４ｂは躯体１における窓台１ａ上に固定されている。
【０００９】
また、前記既設サッシ枠４は、室外面の位置の外周に取付フィン６を有し、該取付フィン６が躯体１の室外面に固着具例えば釘７で固定されている。窓台１ａの室外面には、水切り部材８が前記下枠４ｂの取付フィン６と共に前記釘７で固定されている。また、躯体１の室外面には外装材９が設けられている。
【００１０】
前記既設サッシ３は引違いサッシからなり、そのサッシ枠４は下枠４ｂに外レール支持部１０ａと、該外レール支持部１０ａよりも高さの高い内レール支持部１０ｂとを室外方向への雨水の排水性を良くすべく断面階段状に有している。外レール支持部１０ａには図示しない外障子を開閉自在に支持する下部外レール１１ａが設けられ、内レール支持部１０ｂには図示しない内障子を開閉自在に支持する下部内レール１１ｂが設けられている。
【００１１】
そして、前記既設サッシ枠４の内側（内周）、好ましくは外レール支持部１０ａから室外側に、半外付納まりの新設のサッシ枠１３を有する改装用の新設のサッシ（改装サッシ）１２が取付けられる。この改装サッシ１２は、図示例では、引違いサッシからなり、そのサッシ枠１３内には図示しない外障子と内障子とが開閉自在に設けられる。新設のサッシ枠１３は、上枠１３ａ、下枠１３ｂおよび左右の縦枠１３ｃ，１３ｃを方形枠状に組んで構成されている。
【００１２】
これら上枠１３ａ、下枠１３ｂおよび左右の縦枠１３ｃ，１３ｃは、図示例では、金属製例えばアルミ押出形材からなる室外側形材１３ｘと、金属製例えばアルミ押出形材からなる室内側形材１３ｙとを、低熱伝導材製例えば樹脂製のブリッジ材１３ｚを介して結合してなる断熱形材からなっている。下枠１３ｂには、室外側形材１３ｘに下部外レール１４ａが、室内側形材１３ｙに下部内レール１４ｂがそれぞれ設けられ、この下部内レール１４ｂと既設のサッシ枠４の下部外レール１１ａとは室内外方向の略同じ位置とされている。
【００１３】
前記新設のサッシ枠１３は、室内外方向略中間位置の外周に取付フィン１５を有している。この新設サッシ枠１３を既設サッシ枠４内に取付けるために、既設サッシ枠４の室外側内周における少なくとも下枠４ｂ上には取付部材１６が設けられる。図示例では、既設サッシ枠４の室外側内周（四周）に取付部材１６が設けられている。該取付部材１６は、上枠４ａの下面にその上部外レール１７ａを跨ぐようにして長手方向（左右方向）に沿って取付けられる上部取付部材１６ａと、下枠４ｂの上面（外レール支持部上）にその下部外レール１１ａを跨ぐようにして長手方向に沿って取付けられる下部取付部材１６ｂと、左右の縦枠４ｃ，４ｃの内側面に長手方向（上下方向）に沿って取付けられる側部取付部材１６ｃ，１６ｃとからなっている。
【００１４】
これらの取付部材１６ａ，１６ｂ，１６ｃは、例えばアルミ押出形材からなっている。これらの取付部材１６ａ，１６ｂ，１６ｃは、固着具例えばネジ１８で既設のサッシ枠４または躯体１に固定される。取付部材１６の取付強度を向上させるために、図示例のように、固着具例えばネジ１８は既設のサッシ枠４を貫通して躯体１に固定されることが好ましい。この場合、下部取付部材１６ｂは、固着具例えばネジ１８で躯体１の窓台１ａに固定される。
【００１５】
前記取付部材１６の室外面は、既設のサッシ枠４の室外面例えば網戸レールと略同一面の取付面１６ｆとされている。図示例では、下部取付部材１６ｂは、その取付面１６ｆを下部網戸レール１９ａの室外面と同一面とすべく下部網戸レール１９ａを収容する凹部１６ｇが形成されている（図３参照）。また、取付部材１６の対向面（例えば下部取付部材の上面）は、平坦な支持面１６ｈとされ、この支持面１６ｈに新設のサッシ枠１３の取付フィン１５よりも室内側部分が直接またはスぺーサ２０を介して間接的に支持されるようになっている。
【００１６】
スぺーサ２０は、上部取付部材１６ａと新設サッシ枠１３の上枠１３ａとの間に介在される上部スぺーサ（上枠スぺーサともいう）２０ａと、下部取付部材１６ｂと新設サッシ枠１３の下枠１３ｂとの間に介在される下部スぺーサ（下枠スぺーサともいう）２０ｂと、側部取付部材１６ｃと新設サッシ枠１３の縦枠１３ｃとの間に介在される側部スぺーサ（縦枠スぺーサともいう）２０ｃとからなっている。スぺーサ２０は、それぞれ複数に分割されており、取付部材１６の支持面１６ｈに適宜間隔で隣接した数箇所に両面テープなどで取付けられる。スぺーサ２０は、室外側形材１３ｘと室内側形材１３ｙ間のヒートブリッジ（熱橋）にならないように、低熱伝導材例えば合成樹脂により形成されていることが好ましい。
【００１７】
また、スぺーサ２０は、薄いスぺーサ板を粘着材ないし両面テープを介して多数枚積層してなり、スぺーサ板を剥離することで厚さを可変できるようになっていることが好ましい。そして、図示例では、既設のサッシ枠４の外レール支持部１０ａ上に、新設のサッシ枠１３の取付フィン１５よりも室内側部分が下部取付部材１６ｂおよび下部スぺーサ２０ｂを介して間接的に取付けられている。
【００１８】
新設サッシ（改装サッシ）１２ないし新設サッシ枠１３の室外方向への倒れ（前倒れ）を防止するために、新設サッシ枠１３の取付フィン１５よりも室内側の下枠１３ｂ下面には倒れ防止部材（倒れ防止金具）２１の一端が固着具例えばネジ２２ａで固定され、該倒れ防止部材２１の他端が既設のサッシ枠４の下枠４ａまたは窓台１ａに固着具例えばネジ２２ｂで固定される。倒れ防止部材２１の取付強度を向上させるために、図示例のように、固着具例えばネジ２２ｂは既設のサッシ枠４の下枠４ａを貫通して窓台１ａに固定されることが好ましい。倒れ防止部材２１は、剛性を有する金属板を図示例のように曲げ加工してなり、新設サッシ枠１３の横幅に応じて適宜個数使用される。
【００１９】
また、新設サッシ１２ないし新設サッシ枠１３の風圧による撓みを防止するために、新設サッシ１２の取付フィン１５よりも室内側の上枠１３ａおよび縦枠１３ｂが上部取付部材１６ａおよび側部取付部材１６ｃのそれぞれの支持面１６ｈにそれぞれ固着具例えばネジ２３で固定される。そして、前記新設サッシ枠１３の取付フィン１５が前記取付部材１６の室外面（取付面１６ｆ）に固着具例えばネジ（好ましくはテクスネジ）２４で固定される。この場合、下部および側部の取付フィン１５は下部取付部材１６ｂおよび側部取付部材１６ｃのそれぞれの取付面１６ｆに直接当接されて固定されるが、上部の取付フィン１５は上部取付部材１６ａの取付面１６ｆに上部網戸レール１９ｂを介して固定される。なお、テクスネジ２４でネジ穴を加工する際の精度および施工性を向上させるために、少なくとも下部取付部材１６ｂの取付面１６ｆには水平のＶ溝２５が上下方向に所定ピッチ間隔で形成されていることが好ましい（図３参照）。
【００２０】
また、上記の場合、固着具の頭部が外部に露出しないようにして外観の向上を図るために、取付フィン１５の室外面には断面Ｕ形状の形材からなる基部枠２６が前記固着具例えばネジ２４の共締めによって取付けられ、該基部枠２６に対して略断面Ｕ形状の形材からなる固着具隠しカバー材２７が嵌合により装着される。また、色違いの水切り部材８を隠すために、該水切り部材８の表面には着色塗装ないし着色フィルムがラッピングされたアルミ押出形材からなる水切りカバー材２８が取付けられる。
【００２１】
一方、既設サッシ枠４が室内側に露出しないようにして外観の向上を図るために、新設サッシ枠１３の室内側開口周縁部には四周を覆う化粧額縁２９が取付けられ、躯体１の開口部２の室内側四周には方形枠状に組まれた木質化粧材３０が取付けられていると共に、該木質化粧材３０の内周には前記化粧額縁２９の室内端面に当接される押縁３１が取付けられる。前記化粧額縁２９は、表面が着色塗装ないし着色フィルムがラッピングされたアルミ押出形材からなる断面略Ｌ形状の上下左右の額縁材２９ａ〜２９ｃをタッピングネジ３２を介して方形枠状に組んでなり、その室外側周縁部が新設サッシ枠１３の室内側周縁部に固着具例えば皿ネジ３３で固定されている。
【００２２】
前記押縁３１は、着色塗装ないし着色フィルムがラッピングされたアルミ押出形材からなる断面略Ｈ形状の上下左右の押縁材３１ａ〜３１ｃからなり、各押縁材３１ａ〜３１ｃは木質化粧材３０に固着具例えばネジ３４で固定されている。また、各押縁材３１ａ〜３１ｃには固着具の頭部が露出しないように覆う樹脂製の形材からなるキャップ３５が嵌合装着されている。前記押縁３１が化粧額縁２９の室内面に接するように配設されていることにより、既設サッシ枠４と新設サッシ枠１３の相対的大きさの違いに伴う化粧額縁２９と木質化粧材３０との間の隙間が如何程であっても、それに対応ないし追随して隙間を覆い隠すことができる。前記化粧額縁２９の室内面と押縁３１の室外面の何れか一方には、これらの間をシールする気密材３６が設けられていることが好ましい。
【００２３】
次に、以上の構成からなる改装サッシ３の施工方法および作用について説明する。先ず、既設サッシ枠４の室外側内周（四周）に取付部材１６を固着具例えばネジ１８で取付固定する。そして、取付部材１６の内周に新設サッシ枠１３の取付フィン１５よりも室内側部分が丁度納まるように、取付部材１６の内周を形成する支持面１６ｈにスぺーサ２０を適宜取付けておく。また、新設サッシ枠１３の取付フィン１５よりも室内側の下枠１３ｂ下面に倒れ防止部材２１の一端を固着具例えばネジ２２ａで予め取付固定しておく。
【００２４】
次に、新設サッシ枠１３の取付フィン１５よりも室内側部分を前記既設サッシ枠４における取付部材１６の内側（内周）に室外側から挿入し、当該室内側部分をスぺーサ２０を介して取付部材１６の支持面１６ｈに支持させると共に、前記取付フィン１５を取付部材１６の取付面（室外面）１６ｆに当接させる。そして、前記取付フィン１５を取付部材１６の取付面１６ｆに固着具例えばネジ（テクスネジ）２４で固定する。その際に、取付フィン１５の室外面に固着具隠しカバー材２７の基部枠２６を前記ネジ２４の共締めによって取付け、その後、基部枠２６に対して固着具隠しカバー材２７を装着すれば良い。
【００２５】
次に、前記倒れ防止部材２１の他端を固着具例えばネジ２２ｂで既設サッシ枠４の下枠４ｂまたは窓台１ａに固定し、新設サッシ枠１３の上枠１３ａおよび縦枠１３ｃを上部取付部材１６ａおよび側部取付部材１６ｃにそれぞれ固着具例えばネジ２３で固定する。このようにして新設サッシ枠１３の取付けが終了したなら、化粧額縁２９、木質化粧材３０、押縁３１や水切りカバー材２８の取付けを行えば良い。そして、新設サッシ枠１３内に障子を装着することにより、新設サッシである改装サッシ１２の取付施工が終了する。
【００２６】
以上の構成からなる改装サッシ１２によれば、前記既設のサッシ枠４は下枠４ｂに外レール支持部１０ａと、該外レール支持部１０ａよりも高さの高い内レール支持部１０ｂとを有しており、前記新設のサッシ枠１３は室内外方向略中間の外周に取付フィン１５を有しており、既設のサッシ枠４の外レール支持部１０ａ上に新設のサッシ枠１３の取付フィン１５よりも室内側部分を直接または取付部材１６を介して間接的に取付けてなるため、既設のサッシ枠４の内レール支持部１０ｂ上に新設のサッシ枠１３の取付フィン１５よりも室内側部分を取付ける場合に比して、新設のサッシ枠１３の開口を広く確保することができ、採光性の向上が図れる。
【００２７】
また、前記既設のサッシ枠４の室外側内周における少なくとも下枠４ｂ上に取付部材１６を設け、該取付部材１６の室外面は窓台１ａの室外面と略同じ面上にあり、前記新設のサッシ枠１３は室内外方向略中間の外周に取付フィン１５を有しており、該取付フィン１５を前記取付部材１６の室外面に固着具例えばネジ２４で固定してなるため、既設のサッシ枠４の下枠４ｂに窓台１ａ室外面よりも突出する突出部５０を有していたとしても、該突出部５０を切り欠くことなく新設のサッシ枠１３を容易に取付けることができ、施工性の向上が図れる。図示例では、既設のサッシ枠４の室外側内周（四周）に取付部材１６が設けられているため、取付けフィン１５を取付部材１６の室外面に面一に確実且つ容易に取付けることができ、施工性の向上および気密性の向上が図れる。
【００２８】
更に、前記新設のサッシ枠１３は室内外方向略中間の外周に取付フィン１５を有しており、新設のサッシ枠１３の取付フィン１５よりも室内側の下枠下面に倒れ防止部材２１の一端を固定し、該倒れ防止部材２１の他端を既設のサッシ枠４の下枠４ｂまたは窓台１ａに固定してなるため、半外付納まりであることによる外障子等の荷重による新設サッシ枠１３ないし新設サッシ１２の前倒れを簡単且つ確実に防止することができる。
【００２９】
図４は本発明の第２の実施の形態を示す改装サッシの縦断面図、図５は図４の改装サッシの横断面図である。本実施の形態では、本発明をテラスサッシに適用した一例が示されている。図４ないし図５の実施の形態おいて、前記図１ないし図２の実施の形態と同一部分は同一参照符号を付して説明を省略し、異なる部分について説明を加える。既設サッシ３がテラスサッシであるため、既設のサッシ枠４の下枠４ｂの室内端よりも室内側には床４０が設けられている。
【００３０】
前記床４０の上面には、化粧額縁２９の下部額縁材２９ｂの室内端に当接させて、下部押縁材に代えて下枠補助材４１が固着具例えばネジ４２で取付固定されている。この下枠補助材４１の上面と下部額縁材２９ｂの上面とは、歩行可能なように略面一に形成されている。また、新設のサッシ枠１３の下枠１３ｂにおける取付フィン１５よりも室外側部分の下面と取付フィン１５の室外面とに跨って、断面Ｌ形状の下枠補強材４３が下枠１３ｂの横幅に応じて適宜個数設けられている。倒れ防止部材２１は図１の実施の形態における倒れ防止部材２１と共通のものが用いられる。以上の構成からなる本実施の形態の改装サッシによれば、前記実施の形態と同様に構成されていることにより、同様の作用効果を奏することができる。
【００３１】
以上、本発明の実施の形態を図面により詳述してきたが、本発明は前記実施の形態に限定されるものではなく、本発明の要旨を逸脱しない範囲での種々の設計変更等が可能である。例えば、既設のサッシ枠の外レール支持部上に新設のサッシ枠の取付フィンよりも室内側部分が直接取付けられていてもよい。既設サッシのサッシ枠は、断熱構造であってもよい。改装サッシのサッシ枠は、必ずしも断熱構造である必要はなく、また、改装サッシの窓種は、引違いサッシに限定されるものではない。更に、既設のサッシとしては、内付納まりに限定されず、半外付納まりであっても良い。
【００３２】
【発明の効果】
以上要するに本発明のうちの第１の発明によれば、建物の開口部に取付けられている既設サッシのサッシ枠に取付けられる半外付納まりの新設のサッシ枠を有する改装サッシであって、前記既設のサッシ枠は下枠に外レール支持部と、該外レール支持部よりも高さの高い内レール支持部とを有しており、前記新設のサッシ枠は室内外方向略中間の外周に取付フィンを有しており、新設のサッシ枠を取付けるために既設のサッシ枠の室外側内周に取付部材を取付け、該取付部材は、上枠の下面に上部外レールを跨ぐ状態で左右方向に取付けられる上部取付部材と、下枠の上面の外レール支持部上に下部外レールを跨ぐ状態で左右方向に取付けられる下部取付部材と、左右の縦枠の内側面に上下方向に取付けられる側部取付部材とからなり、これら取付部材の室外面が前記取付フィンを取付けるための取付面とされ、これら取付部材の対向面が新設のサッシの室内側部分を支持するための支持面とされるため、新設のサッシ枠の開口を広く確保することができ、採光性を良くすることができる。
第２の発明によれば、前記第１の発明の効果が得られる他に、前記支持面には低熱伝導材製のスペーサが配置されるため、取付部材がヒートブリッジになるのを防止できる。
【図面の簡単な説明】
【図１】本発明の第１の実施の形態を示す改装サッシの縦断面図である。
【図２】図１の改装サッシの横断面図である。
【図３】図１の改装サッシの分解断面図である。
【図４】本発明の第２の実施の形態を示す改装サッシの縦断面図である。
【図５】図４の改装サッシの横断面図である。
【符号の説明】
２  開口部
３  既設サッシ
４  既設のサッシ枠
１０ａ  外レール支持部
１０ｂ  内レール支持部
１２  改装サッシ
１３  新設のサッシ枠
１５  取付フィン
１６  取付部材
【図１】
0005133480.tif 000002
【図２】
0005133480.tif 000003
【図３】
0005133480.tif 000004
【図４】
0005133480.tif 000005
【図５】
0005133480.tif 000006